(57)【要約】  浮動キャリパータイプの自動車部分ライニングディスクブレーキ１のための、背面プレート１４、および、この背面プレートに固定された、薄板から成る復帰ばね１０を有する、摩擦パッドアセンブリ５であって、この自動車部分ライニングディスクブレーキが、ブレーキディスクの両側に配設された前記摩擦パッドアセンブリ５が移動可能に案内されている、車両に固定したブレーキホルダー２と、前記ブレーキディスク並びに前記摩擦パッドアセンブリ５を上側から包み込む、移動可能に前記ブレーキホルダー２に支承されているハウジング３とを有しており、および、その際、前記復帰ばね１０が、軸線方向に、前記ブレーキホルダー２と前記摩擦パッドアセンブリ５との間で、少なくとも１つのばね脚部１３によって、前記復帰ばね１０が前記摩擦パッドアセンブリ５に空隙を与えるように、挟み込み可能である。前記ばね脚部１３は、前記背面プレート１４のハンマーヘッド形状の爪部６を上側から包み込んでおり、その際、前記摩擦パッドアセンブリ５に、一定に寸法設定された空隙を与えるために、前記ばね脚部１３が、ブレーキ操作のもとでの摩擦材料厚さの低減の結果として、合目的に、可塑的に変形可能に形成されている。
2019503464.tif 000002
【特許請求の範囲】
【請求項１】
浮動キャリパータイプの自動車部分ライニングディスクブレーキ（１）のための、背面プレート（１４）、および、この背面プレートに固定された、薄板から成る復帰ばね（１０）を有する、摩擦パッドアセンブリ（５）であって、
この自動車部分ライニングディスクブレーキが、
ブレーキディスクの両側に配設された前記摩擦パッドアセンブリ（５）が移動可能に案内されている、車両に固定したブレーキホルダー（２）と、
前記ブレーキディスク並びに前記摩擦パッドアセンブリ（５）を上側から包み込む、移動可能に前記ブレーキホルダー（２）に支承されているハウジング（３）とを有しており、および、
前記復帰ばね（１０）が、軸線方向に、前記ブレーキホルダー（２）と前記摩擦パッドアセンブリ（５）との間で、少なくとも１つのばね脚部（１３）によって、前記復帰ばね（１０）が前記摩擦パッドアセンブリ（５）に空隙を与えるように、挟み込み可能である、
様式の上記摩擦パッドアセンブリにおいて、
前記ばね脚部（１３）が、前記背面プレート（１４）の爪部（６）を上側から包み込んでおり、および、
前記ばね脚部（１３）が、ブレーキ操作のもとでの摩擦材料厚さの低減の結果として、規定された状態で可塑的に変形可能に形成されており、従って、前記摩擦パッドアセンブリ（５）が、一定に寸法設定された空隙を与えられている、
ことを特徴とする摩擦パッドアセンブリ（５）。
【請求項２】
前記ばね脚部（１３）は、前記爪部（６）の中心（Ｚ）を上側から包み込んでいることを特徴とする請求項１に記載の摩擦パッドアセンブリ（５）。
【請求項３】
前記ばね脚部（１３）は、自由な端部（２２）を備えており、この自由な端部が、じかに直接的に、弾性的な予負荷のもとで、前記ブレーキホルダー（２）の反力支承部（２４）に載置していることを特徴とする請求項１または２に記載の摩擦パッドアセンブリ（５）。
【請求項４】
前記復帰ばね（１０）は、曲げ軸線（Ｂ、Ｂ′、Ｂ″）を備えており、
これら曲げ軸線が、この復帰ばね（１０）における、ばね脚部（１３）、保持タブ（１６）、スライディングシュー（１５）、固定脚部（２０）の曲げ形成のために、互いに平行に整向された状態で設けられていることを特徴とする請求項１から３のいずれか一つに記載の摩擦パッドアセンブリ（５）。
【請求項５】
前記曲げ軸線（Ｂ、Ｂ′、Ｂ″）は、接線方向に整向された状態で設けられていることを特徴とする請求項１から４のいずれか一つに記載の摩擦パッドアセンブリ（５）。
【請求項６】
前記ばね脚部（１３）の前記自由な端部（２２）のための、ホルダー側の座部は、
半径方向に内側へと、ホイール回転軸線（Ｄ）への方向に位置ずれされた状態で、並びに、保持アーム（７）またはウェブ（９）に、前記反力支承部（２４）において軸線方向に埋め込まれた状態で形成されていることを特徴とする請求項１から５のいずれか一つに記載の摩擦パッドアセンブリ（５）。
【請求項７】
前記ばね脚部（１３）の前記自由な端部（２２）は、前記座部を有する前記反力支承部（２４）の上に載置していること、
前記反力支承部（２４）及び／または前記座部が、少なくとも１つの方向に隆起して形成されており、前記反力支承部（２４）が、少なくとも部分的に、前記ばね脚部（１３）によって上側から包み込まれていること、
を特徴とする請求項６に記載の摩擦パッドアセンブリ（５）。
【請求項８】
前記ばね脚部（１３）は、鋼薄板材料の弾塑性のばね特性の部分毎の変化のための、特に１つまたは複数のビード及び／または少なくとも１つの貫通開口部（１７）のような、成形部（１８）を備えていることを特徴とする請求項１から７のいずれか一つに記載の摩擦パッドアセンブリ。
【請求項９】
前記復帰ばね（１０）は、少なくとも部分的に、鋼薄板材料の冷間変形によって、冷間加工硬化された状態で形成されていることを特徴とする請求項１から８のいずれか一つに記載の摩擦パッドアセンブリ。
【請求項１０】
前記復帰ばね（１０）は、前記背面プレート（１４）における解離可能な固定のために、弾性的な固定クリップを備えており、この固定クリップが、前記ばね脚部（１３）の少なくとも一部分、スライディングシュー（１５）、および、保持タブ（１６）を有しており、および、この固定クリップが、前記背面プレート（１４）を、少なくとも部分的に、周囲から包み込んでおり、且つ、ばね弾性的に挟み込んでいる、
ことを特徴とする請求項１から９のいずれか一つに記載の摩擦パッドアセンブリ。
【請求項１１】
前記復帰ばね（１０）は、基本的に、側方に開放性の、且つ、ほぼ対称軸線に沿って中央で延在する切り込み部（２１）有する、直方体形状の平薄板裁断片として形成されており、従って、
この切り込み部（２１）が、結合された、互いに平行に延びる、並びに、ほぼ同じ強度の、２つのばね脚部（１３ａ、ｂ）を画定することを特徴とする請求項１から１０のいずれか一つに記載の摩擦パッドアセンブリ。
【請求項１２】
前記ばね脚部（１３）は、前記ハウジング（３）のくぼみ（２３）内において、埋め込まれた状態で配設されていることを特徴とする請求項１から１１のいずれか一つに記載の摩擦パッドアセンブリ。
【請求項１３】
前記ばね脚部（１３）は、蛇行形状に曲がりくねって、特に二重Ｓ字形に湾曲されて、並びに、接線方向（Ｔ）において基本的に前記背面プレート（１４）に対して平行に整向されており、且つ、
前記固定クリップが、前記爪部（６）の遠位の端部において、前記背面プレート（１４）に固定されている、
ことを特徴とする請求項１から１２のいずれか一つに記載の摩擦パッドアセンブリ。
【請求項１４】
ブレーキホルダー（２）およびハウジング（３）を有し、並びに、前記請求項１から１３のいずれか一つに記載の特徴を含む、復帰ばね（１０）を有する摩擦パッドアセンブリ（５）を備える、浮動キャリパーディスクブレーキにおいて、
前記復帰ばね（１０）の、合目的に弾塑性に変形可能に設けられた前記ばね脚部（１３）が、前記摩擦パッドアセンブリ（５）の背面プレート（１４）と前記ブレーキホルダー（２）との間で、
前記摩擦パッドアセンブリ（５）が、自動的に、永久的に、一定に寸法設定された空隙を与えられているように、挟み込まれていることを特徴とする浮動キャリパーディスクブレーキ。
【発明の詳細な説明】
【技術分野】
【０００１】
本発明は、浮動キャリパータイプの自動車部分ライニングディスクブレーキのための、空隙調節用の、薄板から成る復帰ばねを有する、摩擦パッドアセンブリに関し、
この自動車部分ライニングディスクブレーキが、
所属するブレーキディスクの両側に配設された前記摩擦パッドアセンブリが移動可能に案内されている、車両に固定したブレーキホルダーと、前記ブレーキディスク並びに前記摩擦パッドアセンブリを上側から包み込む、移動可能に前記ブレーキホルダーに支承されている、アクチュエータを備えるハウジングとを有しており、および、その際、
前記復帰ばねが、前記ブレーキホルダーと前記摩擦パッドアセンブリとの間で挟み込まれており、
前記復帰ばねが、前記摩擦パッドアセンブリの背面プレートに固定されており、且つ、
ばね脚部よって、軸線方向に、ばね作用するように弾性的に、前記ブレーキホルダーに支持されている。
【背景技術】
【０００２】
引き合いに出された摩擦パッドアセンブリを有する、部分ライニングタイプの浮動キャリパーディスクブレーキは、基本的に公知である−非特許文献１を参照−。
【０００３】
予め与えられた、所定の空隙の寸法設定は、全ての自動車ディスクブレーキの作動のための摩擦パッドアセンブリの領域内において、益々重要な意義がある。何故ならば、これに伴って、ブレーキをかけられていない自動車走行作動の際に、如何なる残余ブレーキトルクも作用せず、摩擦パッドアセンブリの摩擦材料が、ブレーキディスクに接触すべきでないからである。
このことから、摩擦材料が、解離された状態において、全ての摩耗寸法（摩擦材料およびブレーキディスク摩耗）の算入のもとで、自動的に、所定の並びに均一に予め与えられたブレーキディスクに対する間隔を維持すべきであることの理論的な要件が結果として生じる。この間隔は、空隙と称される。
過度に大きく寸法設定された空隙は、長いブレーキペダルストロークを誘起し、過度に小さく寸法設定された空隙が、残余ブレーキトルクを誘起し、且つ、このことによって、過度に増大されたエネルギー消費を誘起する。腐食および汚染は、空隙の問題点を実際には増幅する。
【０００４】
従って、摩擦パッドアセンブリが公知であり、これら摩擦パッドアセンブリが、摩擦パッド固定の特許文献１に相応する薄板から成る、空隙調節のための復帰ばねを備えている。それに従って、ベース部分を有する復帰ばねは、摩擦パッドアセンブリの背面プレートの、摩擦材料と反対側の背面側に、解離不能に固定されている。弾性的なばね脚部は、常に、円弧形状に半径方向外側へと、または、円弧形状に接線方向外側へと湾曲された状態で配置されている。
更に、復帰ばねは、同様に薄板から成る、別個のパッドガイド要素を介して、間接的に挟み込まれ、並びに、ブレーキホルダーにロックされており、従って、飛び石の衝突保護が存在し、且つ、それに加えて、ブレーキホルダーの手間暇がかかる加工が削減されている。更に、摩擦パッドアセンブリの背面プレートは、ブレーキホルダー内において、押圧された状態で支持されている（プッシュサポート（ｐｕｓｈ−  Ａｂｓｔｕｅｔｚｕｎｇ））。
極めて特に有利な変形例において、復帰ばねは、傾倒傾向の回避の目的で、対称的に作用する２つのばね脚部を備えている。パッドガイド要素は、それに加えて、タブを有しており、このタブが、ばね脚部内における開口部に係合している。
この公知の復帰ばねは、残念ながら、空隙を、摩擦材料の磨耗に依存して、一定に寸法設定することが可能ではない。むしろ、この公知のコンセプトにおいて、摩擦材料およびブレーキディスクの増大する摩耗によって増大する空隙が実現される。何故ならば、ばねアームが常に同じに当接するからである。
従って、残余ブレーキトルクは、確かに、全ての場合に関して、十分広範囲にわたり確実に回避されるが、しかしながら、同時に、増大する摩擦材料の磨耗によって、延長されたペダルストロークが、延長された空のストロークの結果として生起する。
【先行技術文献】
【特許文献】
【０００５】
【特許文献１】ドイツ連邦共和国特許出願公開第１０２  ３８  ７３４  Ａ１号明細書
【特許文献２】ヨーロッパ特許第１  ２１７  ２４７  Ｂ１明細書
【非特許文献】
【０００６】
【非特許文献１】Ｂｒｅｕｅｒ／Ｂｉｌｌ著、ブレーキハンドブック（Ｂｒｅｍｓｅｎｈａｎｄｂｕｃｈ）（２００６年９月）の第３版、Ｖｉｅｗｅｇ  Ｖｅｒｌａｇ社、９９頁  図７〜１４  ＩＳＢＮ−１３  ９７８−３−８３４８−００６４−０
【発明の概要】
【発明が解決しようとする課題】
【０００７】
本発明の課題は、摩擦材料の磨耗に依存した空隙寸法設定のための、復帰ばねを有する、新規の、および、改良された、摩擦パッドアセンブリの更なる構成を提出することであり、この摩擦パッドアセンブリが、この公知のアセンブリの欠点を回避するように助力し、即ち、ペダルストロークを阻害せず、且つ、強靭な機能において、能率的な製造および容易な組み付けのための低減された複雑性を備えている。
【課題を解決するための手段】
【０００８】
本発明による特徴の組み合わせの根本原理は、その摩擦パッドアセンブリに固定された復帰ばねを有する、少なくとも１つの該摩擦パッドアセンブリを備えており、前記復帰ばねのばねアームが、ハンマーヘッド形状の爪部を上側から包み込んでおり、および、その際、前記ばねアームが、ブレーキ操作のもとでの摩擦材料及び／またはブレーキディスクの、摩擦による摩耗の結果として、合目的に、可塑的に変形可能に設けられており、従って、前記摩擦パッドアセンブリの復帰ばねが、配量された、並びに、一定に寸法設定され、予め与えられた空隙を与えられる。
簡潔に述べれば、本発明に従い、復帰ばねのばねアームの変形特性をも含めた、規定されて位置決めされた係合によって、初めて、これら摩擦パッドアセンブリにおける空隙の自動的な寸法設定が実現され、このことは、用意された課題に関して完全に役立つ。本発明は、即ち、正反対に、１つの摩擦パッドアセンブリの１つのばねが、標準的な使用の間じゅう、基本的に可塑的に変形すべきでないという先入観との間に距離を置く。
【０００９】
本発明の更なる詳細および種々の実施形態を、個々に、図面に基づいて、図との協働において詳細に説明する。
【図面の簡単な説明】
【００１０】
【図１ａ】特許文献１による、基本的な説明のための、薄板から成る、摩擦パッド固定の復帰ばねを有する、公知の自動車部分ライニングディスクブレーキの図である。
【図１ｂ】特許文献１による、基本的な説明のための、薄板から成る、摩擦パッド固定の復帰ばねを有する、公知の自動車部分ライニングディスクブレーキの図である。
【図２】第１の実施形態に従う、前方および後方からの眺望でもっての、復帰ばねを有する浮動キャリパーディスクブレーキの透視図的並びに部分図的な図である。
【図３】第１の実施形態に従う、前方および後方からの眺望でもっての、復帰ばねを有する浮動キャリパーディスクブレーキの透視図的並びに部分図的な図である。
【図４】個別部品としての、図２および３の復帰ばねの透視図である。
【図５】第２の実施形態に従う、前方および後方からの眺望でもっての、復帰ばねを有する浮動キャリパーディスクブレーキの透視図的な部分図である。
【図６】第２の実施形態に従う、前方および後方からの眺望でもっての、復帰ばねを有する浮動キャリパーディスクブレーキの透視図的な部分図である。
【図７】第３の実施形態に従う、前方および後方からの眺望でもっての、復帰ばねを有する浮動キャリパーディスクブレーキの透視図的な部分図である。
【図８】第３の実施形態に従う、前方および後方からの眺望でもっての、復帰ばねを有する浮動キャリパーディスクブレーキの透視図的な部分図である。
【発明を実施するための形態】
【００１１】
公知の自動車部分ライニングディスクブレーキ１は、図１ａ、ｂに従い、アクチュエータを有するハウジング３が軸線方向に移動可能であるが回転不能に支承されている、車両に固定されたブレーキホルダー２を備えている。
ハウジング３の、軸線方向に相対的に移動可能な支承のために、ブレーキホルダー２は、２つのピンガイド４を備えている。ハウジング３は、その際、図示されていない回転可能なローター、特にブレーキディスク、並びに、このブレーキディスクの両側（内側、外側）で配設されている摩擦パッドアセンブリ５を、上側から包み込んでいる。両方の摩擦パッドアセンブリ５は、他方また、接線方向に側方で突出する突出部６によって、軸線方向に移動可能並びに回転不能に、ブレーキホルダー２の案内輪郭８の収容凹部内において案内されており、且つ、接線方向に「押圧された状態で」支持されている。
この関連において、全ての方向指示は、それぞれに、ローター軸線もしくはブレーキディスク軸線を含む仮想のホイール回転軸線、もしくは、明確な座標系に関連する。
細部においては、ブレーキホルダー２は、ブレーキディスクを上側から包み込む２つの保持アーム７を備えており、且つ、突出部６のための案内輪郭８を有する収容凹部を組み込んでいる。保持アーム７内において、もしくは、これら保持アームに沿って、摩擦パッドアセンブリ５は、収容凹部を型押し加工された案内輪郭８を介して、回転不能に案内された状態で収容されている。保持アーム７の強度の増大のために、これら保持アームの自由な端部は、ウェブ９によって互いに結合されている。
この様式の自動車部分ライニングディスクブレーキ１の通気特性の改善のため、即ち、解放の後の、ブレーキディスクと摩擦パッドアセンブリ５との間の所定の空隙の、自発的に自動的な調節の改善のために、それぞれの摩擦パッドアセンブリ５に、少なくとも１つの、より良くは２つの、復帰ばね１０が設けられており、これら復帰ばねは、平らな材料から成る薄板構造部材として、非切削で変形された状態で設けられている。
【００１２】
以下の説明は、図２〜８内における実施形態の具体的な解決策の関しており、その際、ブレーキ周囲方向負荷の伝達のために、全ての摩擦パッドアセンブリ５が、特許文献１に対する相違において、ハンマーヘッド形状の爪部６によって、ブレーキホルダー２の案内輪郭８内において牽引された状態で、即ち、それぞれに入側の爪部６において牽引された状態で、懸架されて支持されており、従って、このことによって、引張応力が、背面プレート１４において存在する。
図２〜８の全ての実施例において、それぞれの摩擦パッドアセンブリ５に、鋼薄板から成るそれぞれ２つの復帰ばね１０が、固定された状態で設けられており、これら復帰ばねのばね脚部１３が、ハンマーヘッド形状の爪部６を上側から包み込んでいる。基本的に、それぞれの復帰ばね１０は、軸線方向に、摩擦パッドアセンブリ５と、ブレーキホルダー２もしくは保持アーム７との間で作用的である。ハウジング３は、従って、復帰ばね１０の力の伝達経路内に含まれていない。
復帰ばね１０は、従って、この復帰ばね１０が摩擦パッドアセンブリ５を、自動車部分ライニングディスクブレーキ１の解放の際に、所属するブレーキディスク表面から能動的に引き離すというやり方で、軸線方向のばね力成分を、摩擦パッドアセンブリ５に対して作用する。
図内において図示された復帰ばね１０のそれぞれの復帰ばねは、それぞれの摩擦パッドアセンブリ５と結合されており、且つ、軸線方向にブレーキホルダー２に対して支持されている。
【００１３】
図２〜４による第１の変形例に従い、復帰ばね１０は、保持タブ１６を備えており、この保持タブが、摩擦質量側で、背面プレート１４に係合し、且つ、スライディングシュー１５もしくはばね脚部１３へと移行されており、従って、ハンマーヘッド形状の爪部６が、少なくとも部分的に、上側から包み込まれており、もしくは、周囲から包み込まれており（ｕｅｂｅｒ−  ｂｚｗ．  ｕｍｇｒｉｆｆｅｎ）、且つ、その際、背面プレート１４が、復帰ばね１０の保持タブ１６とばね脚部１３との間で、洗濯ばさみの様式により挟み込み可能である。
換言すれば、保持タブ１６とばね脚部１３との間の、Ｕ字形またはＣ字形に曲げられた部分が、統合された固定クリップを形成し、この固定クリップが、背面プレート１４を洗濯ばさみの様式で挟み込むことに適している。従って、復帰ばね１０は、統合された固定クリップによって、基本的に取り外し可能に背面プレート１４に固定されている。
特に要件を十分に満たす固定状況のために、しかしながら、ベース部分１１が、付加的に、解離不能に背面プレート１４に固定されていることは可能である。このために、そのことが図５および６による第２の実施形態の図内において開示されているように、有利には、摩擦材料側で、特にリベット、もしくは、背面プレート１４とベース部分１１との間の相互の打抜き加工、かしめ加工、または、型押し加工のような、付加的な固定位置１２が適している。
基本的に、しかしながら、背面プレート１４における、補足的な、即ち、付加的な、材料構造一体的、摩擦結合的、または、形状的に係合する他の固定も、本発明から離れること無しに、考慮可能である。
【００１４】
ブレーキホルダー２が、ばね脚部１３の自由な端部２２によって、じかに直接的に負荷されていることは、全ての実施形態の一致する特徴である。ばね脚部１３の折曲もしくは湾曲は、本発明の全ての実施形態において、常に、内方へと、即ちホイール回転軸線へと整向されて成形されている。
図２〜４内における第１の実施形態に従い、ばね脚部１３は、半径方向に下方へと湾曲された状態で曲げられ、即ち、いわば、下方へとカールされた状態で造形されており、従って、このことによって、液体の自然の滴下特性が、特に良い影響を及ぼし、且つ、同時に、ハウジング３内におけるくぼみ２３が、ばね脚部１３の統合のために利用される。従って、復帰ばね１０の改善された自己洗浄効果が達成され、且つ、この構成は、有利には、摩擦パッドアセンブリ５のガイドシステム内における汚染、腐食、および、摩耗に対して耐久性がある。
有利な第１の変形例は、それに加えて、保持アーム７の間の、ウェブ９との関連における、ハンマーヘッド形状の爪部６に対する、有利な適合のもとで、最大のばねストロークを保証する。
【００１５】
既に言及されているように、ばね脚部１３は、有利には、ハンマーヘッド形状の爪部６の中心Ｚを周囲から包み込んで、もしくは、上側から包み込んでおり、および、摩擦パッドアセンブリ５の特に均等な引き戻しを可能とするために、自由な端部２２による力の導入が、同様に、中心近傍で、即ち摩擦パッドアセンブリ５の重心近傍、もしくは、ブレーキホルダー２内における案内輪郭８の重心近傍において中心で行われる。
ブレーキホルダー２との関連における、摩擦パッドアセンブリ５の、任意の傾倒傾向の付加的な低減のために、復帰ばね１０の固定位置１２は、半径方向内側へと、即ちホイール回転軸線Ｄへの方向に位置ずれされて、保持アーム７において降下された状態で形成可能であり、且つ、その際、自由な端部２２が、ブレーキホルダー２の突出した反力支承部２３を、上側から包み込んでいても良い。
【００１６】
図２および３による第１の実施形態に従う有利な復帰ばね１０の詳細は、図４から見て取ることが可能である。
半径方向に内側へ、即ち下方へと円弧形状に湾曲された状態で曲げられた、自由な端部２２を有するばね脚部１３に、先ず第一に、軸線方向に整向されて配設されたスライディングシュー１５が、および、その後、半径方向に型押し加工された保持タブ１６が連なっており、および、その際、著しく簡略化された構造が存在する。何故ならば、復帰ばね１０の相前後して連続する曲げ動作のための、全ての曲げ軸線Ｂ、Ｂ′、Ｂ″が、互いに平行に配置されているからである。ばね剛性を調節するために、ばね脚部１３が、それに加えて、繰り返して穿孔されていること、または、長手方向において、唯一の一貫した貫通開口部１７を装備されていることは可能である。
ばね脚部１３の湾曲が、相互にバランスをとられた可塑的な変形割合分、および、弾性的な復帰ストローク割合分のもとで、可能な限り段差無くそれぞれの摩擦材料の摩耗段階に対して適合されているために、この貫通開口部１は、選択された材料品質に依存して、原則的に、ばね脚部１３の全湾曲にわたって延在しても良い。
貫通開口部１７の代わりにまたは補足的に、ばね脚部１３が、選択的、領域的、または、完全に、１つまたは複数のビードまたはその他の成形部１８を装備されていることは可能であり、この成形部は、ばね脚部１３のばね剛性、並びに、弾塑性特性を、システムのその他の境界条件との協働において、希望に応じて摩擦材料１９の摩耗特性に対して希望に応じて適合する、即ちモデル化することのために適している。
特に有利には、成形部１８またはビードは、冷間プレス加工法において、復帰ばね１０の鋼薄板に型押しされており、従って、鋼材料の冷間加工硬化効果の結果として、有利な自己硬化が、ばね脚部１３内において達成される。その結果として、ばね脚部１３の弾塑性特性は、希望に応じて、成形部１８の製造の際の変形度合いに依存して調節され得、即ち、配量され得る。
ここで、摩擦材料１９の摩耗度合いに依存する、ばね脚部１３の、合目的並びに自動的な、可塑的な変形が、摩擦パッドアセンブリ５の耐用期間にわたって所望されることは、明確に指摘される。この構成によって、それぞれの摩耗状態のために、それぞれに、適切な並びに自動的な空隙寸法設定は実現される。
如何なる場合においても、固定クリップの領域内における任意の可塑的な変形が、明確に断念されていることの相違だけを有して、ばね特性の部分毎の変化のための上記の構成が、基本的に、相応して、固定クリップの部分に伝達され得ることは自明のことである。
【００１７】
上記スライディングシュー１５の中間位置によって、保持アーム７における半径方向の載置との関係における、摩擦パッドアセンブリ５の容易化された移動可能性が生起される。
保持タブ１６は、直角に曲げられた、並びに、ばね弾性的な、固定脚部２０を設備されており、この固定脚部が、止めフックの様式により、背面プレート１４の所属して設けられた切欠き部内へと係合しても良い。その際、この補足的な固定手段が、ばね脚部１３と保持タブ１６との間の、洗濯ばさみの様式の挟み込みに対して付加的に存在することは自明のことであり、このことによって、復帰ばね１０と摩擦パッドアセンブリ５との間の固定のための、確実な、および、それにも拘らず確かに組み付け可能な、並びに、交換可能な変形が可能となる。
【００１８】
ばね脚部１３は、全ての実施形態のために、基本的に、じかに、このばね脚部の自由な端部によって、直接的に、即ち安いコストで、ブレーキホルダー２の加工されていない鋳物表面を有する座部を組み込み可能である反力支承部２４の上で、載置しても良い。このことは、原則的に、図５および６内における実施例に関しても言えることである。
この変形例において、製造技術的に、直方体形状の平薄板裁断片は、側方の、および、ほぼ中央で延びる切り込み部２１、フリーパンチ部、もしくはスリットを装備されており、このことによって、互いに結合された、平行に延びる、且つ、ほぼ同じ強度の２つのばね脚部１３ａ、ｂが生成され、このばね脚部が、相対して斜方形または菱形に拡開されていても良く、並びに、従って、図面から見て取れるように、互いに屈曲された状態で曲げられていても良い。
その際、有利には、同様に、冷間加工硬化効果が利用され得る。図５および６による第２の変形例は、それに加えて、ハウジング３のくぼみ２３内へと埋め込まれた状態で統合されている。
図２〜４、および、図７〜８による実施形態に対する相違において、図５および６による復帰ばね１０は、しかしながら、専ら背面プレート１４の背面側の一部分だけを、上側から包み込み、この背面プレート１４の背面側で、ベース部分１１に基づいて解離不能に固定され、且つ、決して背面プレート１４を周囲から包み込まず、このことは、薄板の消費量を制限する。この軸線方向に、特に圧縮された構造様式のために、ばね脚部１３ｂの自由な端部２２の、所定の当接のための、ブレーキホルダー２における座部の加工は特に推奨される。
この形態の重要な利点は、出来るだけ少ない、軸線方向の構造高さにおける、最大化された能率的な平薄板材料の材料利用であり、従って、ほんの少しだけ増大された経費において、効果的な、且つ、同時に小型化された復帰ばねの形成のための最適化された費用対効果比が、特に重要な組み込み空間のために達成される。
【００１９】
図７および８による第３の実施形態は、第１および第２の変形例のいくつかの特徴を組み合わせている。
その際、蛇行形状に、並びに、平らに密着されて曲げられた、原則的にＵ字形に造形された、くぼみ２３内における配置を有するばね脚部１３は、基本的に、第２の変形例に類似しており、しかしながら、付加的に、固定クリップ機能が統合されており、従って、総じて、他方また、交換可能な復帰ばね１０が設けられており、この復帰ばねが、保持タブ１６、スライディングシュー１５、および、ばね脚部１３を備えており、且つ、その際、背面プレート１４が、保持タブ１６のハンマーヘッド形状の爪部６の遠位の端部において、ばね弾性的に（洗濯ばさみの様式で）、周囲から包み込まれている。
その場合に、接続されたばね脚部１３は、しかしながら、半径方向に整向された状態（図２〜６）ではなく、むしろ、接線方向に整向された状態で延びており、−即ち、周囲方向に延在された状態で−背面プレート１４へと整向されている。
復帰ばねの弾塑性の変形特性をモデル化するために、ばね脚部１３の成形部１８または穿孔は、前記で説明されているように、相応して可能である。１つまたは複数の貫通開口部１７は、同様に可能である。
第１の実施形態との比較において、ばね脚部１３は、しかしながら、何度かループ状もしくは蛇行状に曲げられている。特に、ばね脚部は、二重にＳ字形に曲げられており、即ち、人工的に明確に延長された状態で設けられており、このことは、摩擦材料１９からの比較的に大きな摩耗を補償するために、このばね脚部のばね特性、並びに、特にこの復帰ばね１０内における弾性的及び／または可塑的に保持されたばねストロークの余裕を可能にする。
一方では、増大され貯蔵されたこのばねストロークの余裕と、他方では、それにも拘らず、平らに、且つ、ブレーキホルダー２とハウジング３と摩擦パッドアセンブリ５との間の周囲環境内へと保護された状態で、くぼみ２３内へと埋め込まれたばね構成とによって、頑丈な構造が与えられ、この頑丈な構造が、特にＳＵＶ車（Ｓｐｏｒｔ−Ｕｔｉｌｉｔｙ−Ｖｅｈｉｃｌｅ）の、厳しいオフロード用途のような、特に飛び石の衝突の負荷のために好適である。
ばね脚部１３の整向は、背面プレート１４との関係において、同様に変化可能である。
そこで、第１の変形例（図２〜４）内における円弧形状のばね脚部１３の固定および整向との比較において、第３の変形例内（図７および８）における蛇行形状のばね脚部１３は、爪部６の遠位の端部において、だいたい９０°だけ旋回されており、即ち、摩擦パッドアセンブリ５の背面プレート１４に対して接線方向に当接して使用される。
このことによって、第３の変形例は、背面プレート背面側がばね固定のために制限された状態で利用可能である、ハンマーヘッド形状の爪部６を有する、全ての、それら強化された摩擦パッドアセンブリ５のために好適である。何故ならば、例えば、特許文献２の基礎知識による１つまたは複数の隆起部が存在するからである。
【符号の説明】
【００２０】
１    自動車部分ライニングディスクブレーキ
２    ブレーキホルダー
３    ハウジング
４    ピンガイド
５    摩擦パッドアセンブリ
６    爪部
７    保持アーム
８    案内輪郭
９    ウェブ
１０  復帰ばね
１１  ベース部分
１２  固定位置
１３  ばね脚部
１４  背面プレート
１５  スライディングシュー
１６  保持タブ
１７  貫通開口部
１８  成形部
１９  摩擦材料
２０  固定脚部
２１  切り込み部
２２  端部
２３  くぼみ
２４  反力支承部
Ａｘ  軸線方向
Ｂ、Ｂ′、Ｂ″  曲げ軸線
Ｄ    ホイール回転軸線
Ｒ    半径方向
Ｔ    接線方向
Ｚ    中心
【図１ａ】
2019503464.tif 000003
【図１ｂ】
2019503464.tif 000004
【図２】
2019503464.tif 000005
【図３】
2019503464.tif 000006
【図４】
2019503464.tif 000007
【図５】
2019503464.tif 000008
【図６】
2019503464.tif 000009
【図７】
2019503464.tif 000010
【図８】
2019503464.tif 000011
【手続補正書】
【提出日】平成30年7月31日(2018.7.31)
【手続補正１】
【補正対象書類名】明細書
【補正対象項目名】全文
【補正方法】変更
【補正の内容】
【発明の詳細な説明】
【技術分野】
【０００１】
本発明は、浮動キャリパータイプの自動車部分ライニングディスクブレーキのための、空隙調節用の、薄板から成る復帰ばねを有する、摩擦パッドアセンブリに関し、
この自動車部分ライニングディスクブレーキが、
所属するブレーキディスクの両側に配設された前記摩擦パッドアセンブリが移動可能に案内されている、車両に固定したブレーキホルダーと、前記ブレーキディスク並びに前記摩擦パッドアセンブリを上側から包み込む、移動可能に前記ブレーキホルダーに支承されている、アクチュエータを備えるハウジングとを有しており、および、その際、
前記復帰ばねが、前記ブレーキホルダーと前記摩擦パッドアセンブリとの間で挟み込まれており、
前記復帰ばねが、前記摩擦パッドアセンブリの背面プレートに固定されており、且つ、
ばね脚部よって、軸線方向に、ばね作用するように弾性的に、前記ブレーキホルダーに支持されている。
【背景技術】
【０００２】
引き合いに出された摩擦パッドアセンブリを有する、部分ライニングタイプの浮動キャリパーディスクブレーキは、基本的に公知である−非特許文献１を参照−。
【０００３】
予め与えられた、所定の空隙の寸法設定は、全ての自動車ディスクブレーキの作動のための摩擦パッドアセンブリの領域内において、益々重要な意義がある。何故ならば、これに伴って、ブレーキをかけられていない自動車走行作動の際に、如何なる残余ブレーキトルクも作用せず、摩擦パッドアセンブリの摩擦材料が、ブレーキディスクに接触すべきでないからである。
このことから、摩擦材料が、解離された状態において、全ての摩耗寸法（摩擦材料およびブレーキディスク摩耗）の算入のもとで、自動的に、所定の並びに均一に予め与えられたブレーキディスクに対する間隔を維持すべきであることの理論的な要件が結果として生じる。この間隔は、空隙と称される。
過度に大きく寸法設定された空隙は、長いブレーキペダルストロークを誘起し、過度に小さく寸法設定された空隙が、残余ブレーキトルクを誘起し、且つ、このことによって、過度に増大されたエネルギー消費を誘起する。腐食および汚染は、空隙の問題点を実際には増幅する。
【０００４】
従って、摩擦パッドアセンブリが公知であり、これら摩擦パッドアセンブリが、摩擦パッド固定の特許文献１に相応する薄板から成る、空隙調節のための復帰ばねを備えている。それに従って、ベース部分を有する復帰ばねは、摩擦パッドアセンブリの背面プレートの、摩擦材料と反対側の背面側に、解離不能に固定されている。弾性的なばね脚部は、常に、円弧形状に半径方向外側へと、または、円弧形状に接線方向外側へと湾曲された状態で配置されている。
更に、復帰ばねは、同様に薄板から成る、別個のパッドガイド要素を介して、間接的に挟み込まれ、並びに、ブレーキホルダーにロックされており、従って、飛び石の衝突保護が存在し、且つ、それに加えて、ブレーキホルダーの手間暇がかかる加工が削減されている。更に、摩擦パッドアセンブリの背面プレートは、ブレーキホルダー内において、押圧された状態で支持されている（プッシュサポート（ｐｕｓｈ−  Ａｂｓｔｕｅｔｚｕｎｇ））。
極めて特に有利な変形例において、復帰ばねは、傾倒傾向の回避の目的で、対称的に作用する２つのばね脚部を備えている。パッドガイド要素は、それに加えて、タブを有しており、このタブが、ばね脚部内における開口部に係合している。
この公知の復帰ばねは、残念ながら、空隙を、摩擦材料の磨耗に依存して、一定に寸法設定することが可能ではない。むしろ、この公知のコンセプトにおいて、摩擦材料およびブレーキディスクの増大する摩耗によって増大する空隙が実現される。何故ならば、ばねアームが常に同じに当接するからである。
従って、残余ブレーキトルクは、確かに、全ての場合に関して、十分広範囲にわたり確実に回避されるが、しかしながら、同時に、増大する摩擦材料の磨耗によって、延長されたペダルストロークが、延長された空のストロークの結果として生起する。
【先行技術文献】
【特許文献】
【０００５】
【特許文献１】ドイツ連邦共和国特許出願公開第１０２  ３８  ７３４  Ａ１号明細書
【特許文献２】ヨーロッパ特許第１  ２１７  ２４７  Ｂ１明細書
【非特許文献】
【０００６】
【非特許文献１】Ｂｒｅｕｅｒ／Ｂｉｌｌ著、ブレーキハンドブック（Ｂｒｅｍｓｅｎｈａｎｄｂｕｃｈ）（２００６年９月）の第３版、Ｖｉｅｗｅｇ  Ｖｅｒｌａｇ社、９９頁  図７〜１４  ＩＳＢＮ−１３  ９７８−３−８３４８−００６４−０
【発明の概要】
【発明が解決しようとする課題】
【０００７】
本発明の課題は、摩擦材料の磨耗に依存した空隙寸法設定のための、復帰ばねを有する、新規の、および、改良された、摩擦パッドアセンブリの更なる構成を提出することであり、この摩擦パッドアセンブリが、この公知のアセンブリの欠点を回避するように助力し、即ち、ペダルストロークを阻害せず、且つ、強靭な機能において、能率的な製造および容易な組み付けのための低減された複雑性を備えている。
【課題を解決するための手段】
【０００８】
本発明による特徴の組み合わせの根本原理は、その摩擦パッドアセンブリに固定された復帰ばねを有する、少なくとも１つの該摩擦パッドアセンブリを備えており、前記復帰ばねのばねアームが、ハンマーヘッド形状の爪部を上側から包み込んでおり、および、その際、前記ばねアームが、ブレーキ操作のもとでの摩擦材料及び／またはブレーキディスクの、摩擦による摩耗の結果として、合目的に、可塑的に変形可能に設けられており、従って、前記摩擦パッドアセンブリの復帰ばねが、配量された、並びに、一定に寸法設定され、予め与えられた空隙を与えられる。
簡潔に述べれば、本発明に従い、復帰ばねのばねアームの変形特性をも含めた、規定されて位置決めされた係合によって、初めて、これら摩擦パッドアセンブリにおける空隙の自動的な寸法設定が実現され、このことは、用意された課題に関して完全に役立つ。本発明は、即ち、正反対に、１つの摩擦パッドアセンブリの１つのばねが、標準的な使用の間じゅう、基本的に可塑的に変形すべきでないという先入観との間に距離を置く。
【０００９】
本発明の更なる詳細および種々の実施形態を、個々に、図面に基づいて、図との協働において詳細に説明する。
【図面の簡単な説明】
【００１０】
【図１ａ】特許文献１による、基本的な説明のための、薄板から成る、摩擦パッド固定の復帰ばねを有する、公知の自動車部分ライニングディスクブレーキの図である。
【図１ｂ】特許文献１による、基本的な説明のための、薄板から成る、摩擦パッド固定の復帰ばねを有する、公知の自動車部分ライニングディスクブレーキの図である。
【図２】第１の実施形態に従う、前方および後方からの眺望でもっての、復帰ばねを有する浮動キャリパーディスクブレーキの透視図的並びに部分図的な図である。
【図３】第１の実施形態に従う、前方および後方からの眺望でもっての、復帰ばねを有する浮動キャリパーディスクブレーキの透視図的並びに部分図的な図である。
【図４】個別部品としての、図２および３の復帰ばねの透視図である。
【図５】第２の実施形態に従う、前方および後方からの眺望でもっての、復帰ばねを有する浮動キャリパーディスクブレーキの透視図的な部分図である。
【図６】第２の実施形態に従う、前方および後方からの眺望でもっての、復帰ばねを有する浮動キャリパーディスクブレーキの透視図的な部分図である。
【図７】第３の実施形態に従う、前方および後方からの眺望でもっての、復帰ばねを有する浮動キャリパーディスクブレーキの透視図的な部分図である。
【図８】第３の実施形態に従う、前方および後方からの眺望でもっての、復帰ばねを有する浮動キャリパーディスクブレーキの透視図的な部分図である。
【発明を実施するための形態】
【００１１】
公知の自動車部分ライニングディスクブレーキ１は、図１ａ、ｂに従い、アクチュエータを有するハウジング３が軸線方向に移動可能であるが回転不能に支承されている、車両に固定されたブレーキホルダー２を備えている。
ハウジング３の、軸線方向に相対的に移動可能な支承のために、ブレーキホルダー２は、２つのピンガイド４を備えている。ハウジング３は、その際、図示されていない回転可能なローター、特にブレーキディスク、並びに、このブレーキディスクの両側（内側、外側）で配設されている摩擦パッドアセンブリ５を、上側から包み込んでいる。両方の摩擦パッドアセンブリ５は、他方また、接線方向に側方で突出する突出部６によって、軸線方向に移動可能並びに回転不能に、ブレーキホルダー２の案内輪郭８の収容凹部内において案内されており、且つ、接線方向に「押圧された状態で」支持されている。
この関連において、全ての方向指示は、それぞれに、ローター軸線もしくはブレーキディスク軸線を含む仮想のホイール回転軸線、もしくは、明確な座標系に関連する。
細部においては、ブレーキホルダー２は、ブレーキディスクを上側から包み込む２つの保持アーム７を備えており、且つ、突出部６のための案内輪郭８を有する収容凹部を組み込んでいる。保持アーム７内において、もしくは、これら保持アームに沿って、摩擦パッドアセンブリ５は、収容凹部を型押し加工された案内輪郭８を介して、回転不能に案内された状態で収容されている。保持アーム７の強度の増大のために、これら保持アームの自由な端部は、ウェブ９によって互いに結合されている。
この様式の自動車部分ライニングディスクブレーキ１の通気特性の改善のため、即ち、解放の後の、ブレーキディスクと摩擦パッドアセンブリ５との間の所定の空隙の、自発的に自動的な調節の改善のために、それぞれの摩擦パッドアセンブリ５に、少なくとも１つの、より良くは２つの、復帰ばね１０が設けられており、これら復帰ばねは、平らな材料から成る薄板構造部材として、非切削で変形された状態で設けられている。
【００１２】
以下の説明は、図２〜８内における実施形態の具体的な解決策の関しており、その際、ブレーキ周囲方向負荷の伝達のために、全ての摩擦パッドアセンブリ５が、特許文献１に対する相違において、ハンマーヘッド形状の爪部６によって、ブレーキホルダー２の案内輪郭８内において牽引された状態で、即ち、それぞれに入側の爪部６において牽引された状態で、懸架されて支持されており、従って、このことによって、引張応力が、背面プレート１４において存在する。
図２〜８の全ての実施例において、それぞれの摩擦パッドアセンブリ５に、鋼薄板から成るそれぞれ２つの復帰ばね１０が、固定された状態で設けられており、これら復帰ばねのばね脚部１３が、ハンマーヘッド形状の爪部６を上側から包み込んでいる。基本的に、それぞれの復帰ばね１０は、軸線方向に、摩擦パッドアセンブリ５と、ブレーキホルダー２もしくは保持アーム７との間で作用的である。ハウジング３は、従って、復帰ばね１０の力の伝達経路内に含まれていない。
復帰ばね１０は、従って、この復帰ばね１０が摩擦パッドアセンブリ５を、自動車部分ライニングディスクブレーキ１の解放の際に、所属するブレーキディスク表面から能動的に引き離すというやり方で、軸線方向のばね力成分を、摩擦パッドアセンブリ５に対して作用する。
図内において図示された復帰ばね１０のそれぞれの復帰ばねは、それぞれの摩擦パッドアセンブリ５と結合されており、且つ、軸線方向にブレーキホルダー２に対して支持されている。
【００１３】
図２〜４による第１の変形例に従い、復帰ばね１０は、保持タブ１６を備えており、この保持タブが、摩擦質量側で、背面プレート１４に係合し、且つ、スライディングシュー１５もしくはばね脚部１３へと移行されており、従って、ハンマーヘッド形状の爪部６が、少なくとも部分的に、上側から包み込まれており、もしくは、周囲から包み込まれており（ｕｅｂｅｒ−  ｂｚｗ．  ｕｍｇｒｉｆｆｅｎ）、且つ、その際、背面プレート１４が、復帰ばね１０の保持タブ１６とばね脚部１３との間で、洗濯ばさみの様式により挟み込み可能である。
換言すれば、保持タブ１６とばね脚部１３との間の、Ｕ字形またはＣ字形に曲げられた部分が、統合された固定クリップを形成し、この固定クリップが、背面プレート１４を洗濯ばさみの様式で挟み込むことに適している。従って、復帰ばね１０は、統合された固定クリップによって、基本的に取り外し可能に背面プレート１４に固定されている。
特に要件を十分に満たす固定状況のために、しかしながら、ベース部分１１が、付加的に、解離不能に背面プレート１４に固定されていることは可能である。このために、そのことが図５および６による第２の実施形態の図内において開示されているように、有利には、摩擦材料側で、特にリベット、もしくは、背面プレート１４とベース部分１１との間の相互の打抜き加工、かしめ加工、または、型押し加工のような、付加的な固定位置１２が適している。
基本的に、しかしながら、背面プレート１４における、補足的な、即ち、付加的な、材料構造一体的、摩擦結合的、または、形状的に係合する他の固定も、本発明から離れること無しに、考慮可能である。
【００１４】
ブレーキホルダー２が、ばね脚部１３の自由な端部２２によって、じかに直接的に負荷されていることは、全ての実施形態の一致する特徴である。ばね脚部１３の折曲もしくは湾曲は、本発明の全ての実施形態において、常に、内方へと、即ちホイール回転軸線へと整向されて成形されている。
図２〜４内における第１の実施形態に従い、ばね脚部１３は、半径方向に下方へと湾曲された状態で曲げられ、即ち、いわば、下方へとカールされた状態で造形されており、従って、このことによって、液体の自然の滴下特性が、特に良い影響を及ぼし、且つ、同時に、ハウジング３内におけるくぼみ２３が、ばね脚部１３の統合のために利用される。従って、復帰ばね１０の改善された自己洗浄効果が達成され、且つ、この構成は、有利には、摩擦パッドアセンブリ５のガイドシステム内における汚染、腐食、および、摩耗に対して耐久性がある。
有利な第１の変形例は、それに加えて、保持アーム７の間の、ウェブ９との関連における、ハンマーヘッド形状の爪部６に対する、有利な適合のもとで、最大のばねストロークを保証する。
【００１５】
既に言及されているように、ばね脚部１３は、有利には、ハンマーヘッド形状の爪部６の中心Ｚを周囲から包み込んで、もしくは、上側から包み込んでおり、および、摩擦パッドアセンブリ５の特に均等な引き戻しを可能とするために、自由な端部２２による力の導入が、同様に、中心近傍で、即ち摩擦パッドアセンブリ５の重心近傍、もしくは、ブレーキホルダー２内における案内輪郭８の重心近傍において中心で行われる。
ブレーキホルダー２との関連における、摩擦パッドアセンブリ５の、任意の傾倒傾向の付加的な低減のために、復帰ばね１０の固定位置１２は、半径方向内側へと、即ちホイール回転軸線Ｄへの方向に位置ずれされて、保持アーム７において降下された状態で形成可能であり、且つ、その際、自由な端部２２が、ブレーキホルダー２の突出した反力支承部２４を、上側から包み込んでいても良い。
【００１６】
図２および３による第１の実施形態に従う有利な復帰ばね１０の詳細は、図４から見て取ることが可能である。
半径方向に内側へ、即ち下方へと円弧形状に湾曲された状態で曲げられた、自由な端部２２を有するばね脚部１３に、先ず第一に、軸線方向に整向されて配設されたスライディングシュー１５が、および、その後、半径方向に型押し加工された保持タブ１６が連なっており、および、その際、著しく簡略化された構造が存在する。何故ならば、復帰ばね１０の相前後して連続する曲げ動作のための、全ての曲げ軸線Ｂ、Ｂ′、Ｂ″が、互いに平行に配置されているからである。ばね剛性を調節するために、ばね脚部１３が、それに加えて、繰り返して穿孔されていること、または、長手方向において、唯一の一貫した貫通開口部１７を装備されていることは可能である。
ばね脚部１３の湾曲が、相互にバランスをとられた可塑的な変形割合分、および、弾性的な復帰ストローク割合分のもとで、可能な限り段差無くそれぞれの摩擦材料の摩耗段階に対して適合されているために、この貫通開口部１７は、選択された材料品質に依存して、原則的に、ばね脚部１３の全湾曲にわたって延在しても良い。
貫通開口部１７の代わりにまたは補足的に、ばね脚部１３が、選択的、領域的、または、完全に、１つまたは複数のビードまたはその他の成形部１８を装備されていることは可能であり、この成形部は、ばね脚部１３のばね剛性、並びに、弾塑性特性を、システムのその他の境界条件との協働において、希望に応じて摩擦材料１９の摩耗特性に対して希望に応じて適合する、即ちモデル化することのために適している。
特に有利には、成形部１８またはビードは、冷間プレス加工法において、復帰ばね１０の鋼薄板に型押しされており、従って、鋼材料の冷間加工硬化効果の結果として、有利な自己硬化が、ばね脚部１３内において達成される。その結果として、ばね脚部１３の弾塑性特性は、希望に応じて、成形部１８の製造の際の変形度合いに依存して調節され得、即ち、配量され得る。
ここで、摩擦材料１９の摩耗度合いに依存する、ばね脚部１３の、合目的並びに自動的な、可塑的な変形が、摩擦パッドアセンブリ５の耐用期間にわたって所望されることは、明確に指摘される。この構成によって、それぞれの摩耗状態のために、それぞれに、適切な並びに自動的な空隙寸法設定は実現される。
如何なる場合においても、固定クリップの領域内における任意の可塑的な変形が、明確に断念されていることの相違だけを有して、ばね特性の部分毎の変化のための上記の構成が、基本的に、相応して、固定クリップの部分に伝達され得ることは自明のことである。
【００１７】
上記スライディングシュー１５の中間位置によって、保持アーム７における半径方向の載置との関係における、摩擦パッドアセンブリ５の容易化された移動可能性が生起される。
保持タブ１６は、直角に曲げられた、並びに、ばね弾性的な、固定脚部２０を設備されており、この固定脚部が、止めフックの様式により、背面プレート１４の所属して設けられた切欠き部内へと係合しても良い。その際、この補足的な固定手段が、ばね脚部１３と保持タブ１６との間の、洗濯ばさみの様式の挟み込みに対して付加的に存在することは自明のことであり、このことによって、復帰ばね１０と摩擦パッドアセンブリ５との間の固定のための、確実な、および、それにも拘らず確かに組み付け可能な、並びに、交換可能な変形が可能となる。
【００１８】
ばね脚部１３は、全ての実施形態のために、基本的に、じかに、このばね脚部の自由な端部によって、直接的に、即ち安いコストで、ブレーキホルダー２の加工されていない鋳物表面を有する座部を組み込み可能である反力支承部２４の上で、載置しても良い。このことは、原則的に、図５および６内における実施例に関しても言えることである。
この変形例において、製造技術的に、直方体形状の平薄板裁断片は、側方の、および、ほぼ中央で延びる切り込み部２１、フリーパンチ部、もしくはスリットを装備されており、このことによって、互いに結合された、平行に延びる、且つ、ほぼ同じ強度の２つのばね脚部１３ａ、ｂが生成され、このばね脚部が、相対して斜方形または菱形に拡開されていても良く、並びに、従って、図面から見て取れるように、互いに屈曲された状態で曲げられていても良い。
その際、有利には、同様に、冷間加工硬化効果が利用され得る。図５および６による第２の変形例は、それに加えて、ハウジング３のくぼみ２３内へと埋め込まれた状態で統合されている。
図２〜４、および、図７〜８による実施形態に対する相違において、図５および６による復帰ばね１０は、しかしながら、専ら背面プレート１４の背面側の一部分だけを、上側から包み込み、この背面プレート１４の背面側で、ベース部分１１に基づいて解離不能に固定され、且つ、決して背面プレート１４を周囲から包み込まず、このことは、薄板の消費量を制限する。この軸線方向に、特に圧縮された構造様式のために、ばね脚部１３ｂの自由な端部２２の、所定の当接のための、ブレーキホルダー２における座部の加工は特に推奨される。
この形態の重要な利点は、出来るだけ少ない、軸線方向の構造高さにおける、最大化された能率的な平薄板材料の材料利用であり、従って、ほんの少しだけ増大された経費において、効果的な、且つ、同時に小型化された復帰ばねの形成のための最適化された費用対効果比が、特に重要な組み込み空間のために達成される。
【００１９】
図７および８による第３の実施形態は、第１および第２の変形例のいくつかの特徴を組み合わせている。
その際、蛇行形状に、並びに、平らに密着されて曲げられた、原則的にＵ字形に造形された、くぼみ２３内における配置を有するばね脚部１３は、基本的に、第２の変形例に類似しており、しかしながら、付加的に、固定クリップ機能が統合されており、従って、総じて、他方また、交換可能な復帰ばね１０が設けられており、この復帰ばねが、保持タブ１６、スライディングシュー１５、および、ばね脚部１３を備えており、且つ、その際、背面プレート１４が、保持タブ１６のハンマーヘッド形状の爪部６の遠位の端部において、ばね弾性的に（洗濯ばさみの様式で）、周囲から包み込まれている。
その場合に、接続されたばね脚部１３は、しかしながら、半径方向に整向された状態（図２〜６）ではなく、むしろ、接線方向に整向された状態で延びており、−即ち、周囲方向に延在された状態で−背面プレート１４へと整向されている。
復帰ばねの弾塑性の変形特性をモデル化するために、ばね脚部１３の成形部１８または穿孔は、前記で説明されているように、相応して可能である。１つまたは複数の貫通開口部１７は、同様に可能である。
第１の実施形態との比較において、ばね脚部１３は、しかしながら、何度かループ状もしくは蛇行状に曲げられている。特に、ばね脚部は、二重にＳ字形に曲げられており、即ち、人工的に明確に延長された状態で設けられており、このことは、摩擦材料１９からの比較的に大きな摩耗を補償するために、このばね脚部のばね特性、並びに、特にこの復帰ばね１０内における弾性的及び／または可塑的に保持されたばねストロークの余裕を可能にする。
一方では、増大され貯蔵されたこのばねストロークの余裕と、他方では、それにも拘らず、平らに、且つ、ブレーキホルダー２とハウジング３と摩擦パッドアセンブリ５との間の周囲環境内へと保護された状態で、くぼみ２３内へと埋め込まれたばね構成とによって、頑丈な構造が与えられ、この頑丈な構造が、特にＳＵＶ車（Ｓｐｏｒｔ−Ｕｔｉｌｉｔｙ−Ｖｅｈｉｃｌｅ）の、厳しいオフロード用途のような、特に飛び石の衝突の負荷のために好適である。
ばね脚部１３の整向は、背面プレート１４との関係において、同様に変化可能である。
そこで、第１の変形例（図２〜４）内における円弧形状のばね脚部１３の固定および整向との比較において、第３の変形例内（図７および８）における蛇行形状のばね脚部１３は、爪部６の遠位の端部において、だいたい９０°だけ旋回されており、即ち、摩擦パッドアセンブリ５の背面プレート１４に対して接線方向に当接して使用される。
このことによって、第３の変形例は、背面プレート背面側がばね固定のために制限された状態で利用可能である、ハンマーヘッド形状の爪部６を有する、全ての、それら強化された摩擦パッドアセンブリ５のために好適である。何故ならば、例えば、特許文献２の基礎知識による１つまたは複数の隆起部が存在するからである。
【符号の説明】
【００２０】
１    自動車部分ライニングディスクブレーキ
２    ブレーキホルダー
３    ハウジング
４    ピンガイド
５    摩擦パッドアセンブリ
６    爪部
７    保持アーム
８    案内輪郭
９    ウェブ
１０  復帰ばね
１１  ベース部分
１２  固定位置
１３  ばね脚部
１４  背面プレート
１５  スライディングシュー
１６  保持タブ
１７  貫通開口部
１８  成形部
１９  摩擦材料
２０  固定脚部
２１  切り込み部
２２  端部
２３  くぼみ
２４  反力支承部
Ａｘ  軸線方向
Ｂ、Ｂ′、Ｂ″  曲げ軸線
Ｄ    ホイール回転軸線
Ｒ    半径方向
Ｔ    接線方向
Ｚ    中心
【国際調査報告】
2019503464.tif 000012
2019503464.tif 000013
2019503464.tif 000014
2019503464.tif 000015
2019503464.tif 000016
2019503464.tif 000017